(57)【特許請求の範囲】
【請求項１】
トグルスイッチアセンブリ（２００）であって：
トグルスイッチ（２０２）；及び
スイッチカバー（２０４）において、前記スイッチカバー（２０４）はオープン位置にあり、かつ前記スイッチカバー（２０４）は前記オープン位置からクローズ位置へ移動可能であり、前記スイッチカバー（２０４）は前記クローズ位置で前記トグルスイッチ（２０２）の上に位置決めされる、スイッチカバー（２０４）を備える、トグルスイッチアセンブリ（２００）と、
中央領域（１１６）を有するクリップ本体（１０２）を備えるトグルスイッチロックアウトクリップ（１００）であって、前記クリップ本体（１０２）は：
前記中央領域（１１６）から突出するラッチ部（１０４）において、前記ラッチ部（１０４）はフックギャップ（１２６）を画定し、前記スイッチカバー（２０４）の少なくとも一部は前記フックギャップ（１２６）の中に受け入れられる、ラッチ部（１０４）；及び
前記ラッチ部（１０４）から離れるように前記中央領域（１１６）から突出するレッグ部（１０６）を備える、トグルスイッチロックアウトクリップ（１００）とを備える、トグルスイッチシステム。
【請求項２】
前記レッグ部（１０６）は突出して、前記トグルスイッチアセンブリ（２００）と係合する、請求項１に記載のトグルスイッチシステム。
【請求項３】
前記トグルスイッチアセンブリ（２００）はさらにストップ（２１０）を備え、かつ前記レッグ部（１０６）は前記トグルスイッチ（２０２）と前記ストップ（２１０）との間で位置決めされる、請求項１又は２に記載のトグルスイッチシステム。
【請求項４】
前記トグルスイッチロックアウトクリップ（１００）はさらに、第２の側部（１１２）と対向する第１の側部（１１０）を備え、前記第１の側部（１１０）及び前記第２の側部（１１２）は、前記中央領域（１１６）から延伸し、かつそれらの間のギャップ（１４４）を画定し、前記スイッチカバー（２０４）の少なくとも一部は前記ギャップ（１４４）の中に受け入れられる、請求項１から３のいずれか一項に記載のトグルスイッチシステム。
【請求項５】
前記トグルスイッチロックアウトクリップ（１００）はさらに、突出して前記トグルスイッチ（２０２）と係合する係合部（１０８）を備える、請求項１から４のいずれか一項に記載のトグルスイッチシステム。
【請求項６】
前記係合部（１０８）は、前記スイッチカバー（２０４）の前記クローズ位置への移動を抑制する、請求項５に記載のトグルスイッチシステム。
【請求項７】
前記トグルスイッチロックアウトクリップ（１００）は、前記スイッチカバー（２０４）の前記クローズ位置への移動を抑制する、請求項１から６のいずれか一項に記載のトグルスイッチシステム。
【請求項８】
前記トグルスイッチロックアウトクリップ（１００）に接続されるタグ（１５０）をさらに備える、請求項１から７のいずれか一項に記載のトグルスイッチシステム。
【請求項９】
前記クリップ本体（１０２）は貫通孔（１１４）を画定し、かつ前記タグ（１５０）は、前記貫通孔（１１４）を通って延伸するテザー（１５２）によって前記トグルスイッチロックアウトクリップ（１００）に接続される、請求項８に記載のトグルスイッチシステム。
【請求項１０】
トグルスイッチ（２０２）及びスイッチカバー（２０４）を含むトグルスイッチアセンブリ（２００）をロックアウトするための方法であって、前記トグルスイッチ（２０２）がオン位置とオフ位置との間で移動可能であり、前記スイッチカバー（２０４）がクローズ位置とオープン位置との間で移動可能であり、前記方法は：
前記スイッチカバー（２０４）を前記オープン位置に移動させ、かつ前記トグルスイッチ（２０２）を前記オフ位置に移動させるステップと；
前記トグルスイッチアセンブリ（２００）にクリップ（１００）を設置するステップであって、前記クリップ（１００）が、前記スイッチカバー（２０４）にラッチするラッチ部（１０４）、及び前記ラッチ部（１０４）から離れるように延伸するレッグ部（１０６）を備え、前記クリップ（１００）が、前記スイッチカバー（２０４）の前記クローズ位置への移動、及び前記トグルスイッチ（２０２）の前記オン位置への移動を抑制する、ステップとを含む、方法。
【発明の詳細な説明】
【技術分野】
【０００１】
本出願は、トグルスイッチに関し、かつより具体的には、トグルスイッチを望ましい状態に固定するための装置及び方法に関する。
【背景技術】
【０００２】
トグルスイッチは、様々な電気システムを作動させるために使用される。１つの一般的な用途において、トグルスイッチは、航空機の様々な操縦翼面電気システムの電源をオン及びオフするために使用される。例えば、航空機のエルロンを制御するのに先立って、エルロンに関連する操縦翼面電気システムは、関連するトグルスイッチを「オン」位置へ移動させることによって、電源をオンにすることが必要である。
【０００３】
図１及び２を参照すると、典型的なトグルスイッチアセンブリ１０は、トグルスイッチ１２、スイッチカバー１４、ファルクラム（ｆｕｌｃｒｕｍ）１６、及びスイッチボード１８を含む。トグルスイッチ１２及びファルクラム１６は、スイッチボード１８に設置される。トグルスイッチ１２は、図１に示されるような「オン」（例えば、前方）位置と、図２に示されるような「オフ」（例えば、後方）位置との間で移動可能である。スイッチカバー１４は、ファルクラム１６に対して回転可能に接続され、かつクローズ位置（図１）とオープン位置（図２）との間で移動可能である。スイッチカバー１４は、図１において示されるように、スイッチカバー１４がクローズ位置へ移動される場合、トグルスイッチ１２を前方の「オン」位置に自動的に移動させるように構成される。それ故、トグルスイッチアセンブリ１０は、電源オンの構成へ付勢される。トグルスイッチアセンブリ１０を電源オフにするために、ユーザ（例えば、パイロット）は、図２において示されるように、スイッチカバー１４を開いて、かつトグルスイッチ１２を後方の「オフ」位置へ移動させなければならない。
【０００４】
航空機の保守の間に、トグルスイッチアセンブリ１０は電源がオフされ、それによって関連する操縦翼面電気システムに対する電力供給を切断する。しかしながら、スイッチカバー１４が不注意にクローズ位置へ移動される場合、その後、電力は関連する操縦翼面電気システムに対して自動的に回復される。
【０００５】
したがって、当業者は、トグルスイッチの分野において研究及び開発の努力を継続している。
【発明の概要】
【０００６】
一実施形態において、開示されるトグルスイッチのロックアウトクリップは、中央領域を有しかつ中央領域から突出するラッチ部を含むクリップ本体であって、ラッチ部が延伸部材、及び延伸部材に接続されフックギャップを画定するフック部材を含み、並びにラッチ部から離れるように中央領域から突出するレッグ部を含む、クリップ本体を含み得る。
【０００７】
別の実施形態において、開示されるトグルスイッチのロックアウトクリップは、中央領域を有しかつ中央領域から突出するラッチ部を含むクリップ本体であって、ラッチ部が延伸部材及び延伸部材に接続されフックギャップをするフック部材を含み、ラッチ部から離れるように中央領域から突出するレッグ部、第２の側部と対向する第１の側部において、第１及び２の側部は中央領域から延伸しかつそれらの間のギャップを画定する、第１の側部、並びに第１及び２の側部の間に位置決めされる係合部を含む、クリップ本体を含み得る。
【０００８】
別の実施形態において、開示されるトグルスイッチシステムは、（１）トグルスイッチ及び少なくともクローズ位置とオープン位置との間で移動可能なスイッチカバーを含むトグルスイッチアセンブリであって、スイッチカバーはクローズ位置においてトグルスイッチの上に位置決めされる、トグルスイッチアセンブリ、並びに（２）中央領域を有するクリップ本体であって、クリップ本体は中央領域から突出するラッチ部において、ラッチ部はフックギャップを画定し、かつスイッチカバーの少なくとも一部がフックギャップの中に受け入れられる、ラッチ部、及びラッチ部から離れるように中央領域から突出するレッグ部を含む、クリップ本体を含む、トグルスイッチのロックアウトクリップを含み得る。
【０００９】
さらに別の実施形態において、トグルスイッチ及びスイッチカバーを含むトグルスイッチアセンブリをロックアウトするための方法であって、トグルスイッチがオン位置とオフ位置との間で移動可能であり、かつスイッチカバーがクローズ位置とオープン位置との間で移動可能である、方法が開示される。方法は、（１）スイッチカバーをオープン位置に移動させ、かつトグルスイッチをオフ位置に移動させるステップ、並びに（２）トグルスイッチアセンブリにクリップを設置するステップであって、クリップがスイッチカバーにラッチするラッチ部及びラッチ部から離れるように延伸するレッグ部を含み、クリップがスイッチカバーのクローズ位置への移動及びトグルスイッチのオン位置への移動を抑制する、ステップを含み得る。
【００１０】
開示されるトグルスイッチのロックアウトクリップ及び方法は、以下の詳細な説明、添付の図面、及び添付の特許請求の範囲から明らかになるだろう。
【図面の簡単な説明】
【００１１】
【図１】図１は、先行技術のトグルスイッチアセンブリの側面図である。
【図２】図２は、電源がオフされた構成において示される、図１のトグルスイッチアセンブリの側面図である。
【図３】図３は、開示されるトグルスイッチのロックアウトクリップの一実施形態の斜視図である。
【図４】図４は、図３のトグルスイッチのロックアウトクリップの側面図である。
【図５】図５は、トグルスイッチアセンブリに設置され、かつトグルスイッチアセンブリをロックアウトする、図４のトグルスイッチのロックアウトクリップの側面図である。
【図６】図６は、トグルスイッチのロックアウトクリップに接続されるタグを伴って示される、図５のトグルスイッチのロックアウトクリップ及びトグルスイッチアセンブリの前面図である。
【図７】図７は、トグルスイッチアセンブリをロックアウトするための開示方法の一実施形態の概略を示す流れ図である。
【発明を実施するための形態】
【００１２】
トグルスイッチアセンブリの不注意な作動を（排除できない場合）抑制するために、トグルスイッチアセンブリに設置され得るトグルスイッチのロックアウトクリップが開示される。トグルスイッチアセンブリに設置される場合、開示されるトグルスイッチのロックアウトクリップは、トグルスイッチアセンブリのトグルスイッチをオフ位置に固定し、かつトグルスイッチアセンブリのスイッチカバーをオープン位置に固定することができる。そのようにして、トグルスイッチアセンブリの作動は、作動に先立ってトグルスイッチのロックアウトクリップを除去する、意図的かつ積極的なステップを必要とする。
【００１３】
図３及び４を参照すると、開示されるトグルスイッチのロックアウトクリップの一実施形態は、概して１００として指定され、ラッチ部１０４、レッグ部１０６、係合部１０８、及び側部１１０、１１２を有するクリップ本体１０２を含み得る。貫通孔１１４などの付加的な構成要素及び特徴は、本開示の範囲から逸脱することなく、含まれ得る。
【００１４】
クリップ本体１０２は、半剛体で伸縮性がありさらに弾力性がある材料から形成され得、トグルスイッチのロックアウトクリップ１００をトグルスイッチアセンブリに設置することを容易にしている。一実施例として、トグルスイッチのロックアウトクリップ１００のクリップ本体１０２は、金属又はスチールなどの合金から形成され得る。別の実施例として、トグルスイッチのロックアウトクリップ１００のクリップ本体１０２は、ポリカーボネートなどの高分子材料から形成され得る。さらに別の実施例として、トグルスイッチのロックアウトクリップ１００のクリップ本体１０２は、材料の組み合わせから形成され得る。
【００１５】
トグルスイッチのロックアウトクリップ１００のクリップ本体１０２は、単一のモノリシックの本体として形成され得る（すなわち、ラッチ部１０４、レッグ部１０６、係合部１０８、及び側部１１０、１１２は、統合され得る）。モールディング、キャスティング、スタンピング、熱溶解積層法（例えば、ＡＢＳプラスチックを伴って）、選択的レーザー焼結（例えば、ナイロン）、及び／又は同様なものなどの様々な成形技術は、モノリシックのクリップ本体を構築するために使用され得る。代替的に、トグルスイッチのロックアウトクリップ１００のクリップ本体１０２は、クリップ本体１０２の１以上の部１０４、１０６、１０８、１１０、１１２を一緒に接続することによって形成され得る（例えば、溶接、接着、機械的留め具）。
【００１６】
クリップ本体１０２のラッチ部１０４は、クリップ本体１０２の中央領域１１６から離れるように突出し得、かつ延伸部材１１８及びフック部材１２０を含み得る。延伸部材１１８は、近位端１２２及び遠位端１２４を含み得る。延伸部材１１８の近位端１２２は、クリップ本体１０２の中央領域１１６の近傍（すなわち、そこ又は近く）において位置決めされ得る。フック部材１２０は、延伸部材１１８の遠位端１２４の近傍に接続され得、かつ延伸部材１１８に関して角度Ａにおいて配置され得る。角度Ａは、クリップ本体１０２の中央領域に向かってオープンし得、かつ約４５度から約１３５度、又は約７０度から約１１０度（例えば、約９０度）などのように、約１０度から約１７０度の範囲に含まれ得る。それ故、フック部材１２０は、延伸部材１１８の遠位端１２４の近傍において、フック部材１２０と延伸部材１１８との間のフックギャップ１２６を画定し得る。フックギャップ１２６は、図５において示されるように、スイッチカバー２０４の先端を密接に受け入れるように形作られ得る。
【００１７】
随意に、ガイドタブ１２８が、ラッチ部１０４のフック部材１２０の端部１３０（図４）から延伸し得る。ガイドタブ１２８は、フック部材１２０に関してゼロではない角度Ｂ（図４）において配置され得、かつラッチ部１０４のフックギャップ１２６に向かって延伸するカミング表面１３２を含み得る。例えば、ガイドタブ１２８の角度Ｂは、約２０度から約９０度、又は約３０度から約６０度（例えば、約４５度）などのように、約１０度から約１８０度の範囲に含まれ得る。
【００１８】
クリップ本体１０２のレッグ部１０６は、クリップ本体１０２の中央領域１１６から離れるように、概してラッチ部１０４から離れる方向に突出し得る。レッグ部１０６は、近位端１３４及び遠位端１３６を含み得る。レッグ部１０６の近位端１３４は、クリップ本体１０２の中央領域１１６の近傍に位置決めされ得、かつ遠位端１３６は、近位端１３４から距離Ｄの間隔を有し得る。距離Ｄは、レッグ部１０６の高さを画定し得、かつ以下に詳細に説明されるように、トグルスイッチのロックアウトクリップ１００が設置される、トグルスイッチアセンブリのサイズ及び構成によって決定され得る。
【００１９】
クリップ本体１０２の係合部１０８は、係合部１０８が概してラッチ部１０４とレッグ部１０６との間にあるように、クリップ本体１０２の中央領域１１６から内側へ突出し得る。係合部１０８は、以下に詳細に説明されるように、トグルスイッチのロックアウトクリップ１００が設置される、トグルスイッチアセンブリのトグルスイッチ及びスイッチカバーを係合させる（又は、少なくとも接近させる）ための係合表面１４０を含み得る。ノッチ１４２が係合表面１４０の中に形成され得、かつノッチ１４２は、トグルスイッチ（又はスイッチカバー）の一部の輪郭に密接に対応するように形作られ得る。
【００２０】
第１の側部１１０は、第２の側部１１２から横方向に対向する位置に置かれ得、かつ随意に、第２の側部１１２と概して平行であり得る。それ故、第１及び２の側部１１０、１１２はギャップ１４４を画定し得、かつ係合部１０８は、ギャップ１４４の中に位置決めされ得、かつ第１及び２の側部１１０、１１２の間で横方向に延伸し得る。第１及び２の側壁１１０、１１２の間の横方向の間隔（すなわち、ギャップ１４４の幅）は、以下に詳細に説明されるように、トグルスイッチのロックアウトクリップ１００が設置される、トグルスイッチアセンブリのスイッチカバーの少なくとも一部を受け入れるために十分であり得る。
【００２１】
クリップ本体１０２の中央領域１１６は、貫通孔１１４を画定し得る。貫通孔１１４は、クリップ本体１０２の第１のサイド１４６からクリップ本体１０２の第２のサイド１４８へ、横方向に延伸し得る。それ故、図６において示されるように、タグ１５０は、テザー（ｔｅｔｈｅｒ）１５２（例えば、ピン、コード、ワイヤー、クリップ、ロック、又は同様なもの）を、スイッチ本体の中の貫通孔１１４を通り抜けさせることによって、トグルスイッチのロックアウトクリップ１００に接続され得る。タグは、文章（例えば、「取り除くな」）、色（例えば、赤色）、及び／又はグラフィックスなどの印を含み得、他者にトグルスイッチのロックアウトクリップ１００を取り除かないように、又はさもなければトグルスイッチのロックアウトクリップ１００を許可なく触らないように警告する。
【００２２】
今度は図５を参照すると、開示されるトグルスイッチのロックアウトクリップ１００は、トグルスイッチアセンブリ２００に設置され得、トグルスイッチアセンブリ２００の不注意な作動を（排除できなければ）抑制する。１つの具体的なトグルスイッチアセンブリ（アセンブリ２００）が以下に説明される一方で、当業者は、開示されるトグルスイッチのロックアウトクリップ１００が、本開示の範囲から逸脱することなしに様々なトグルスイッチアセンブリの使用に対して構成され得ることを理解するだろう。
【００２３】
トグルスイッチアセンブリ２００は、トグルスイッチ２０２、スイッチカバー２０４、ファルクラム２０６、スイッチボード２０８、及び随意にストップ２１０を含み得る。トグルスイッチ２０２、ファルクラム２０６、及びストップ２１０は、スイッチボード２０８に設置され得る。トグルスイッチ２０２は、少なくとも「オン」位置（図１を見よ）と「オフ」位置との間で移動可能である。「オフ」位置において、トグルスイッチ２０２は、トグルスイッチ２０２の軸Ｔが垂直軸Ｖに関して角度Ｐ（例えば、約５から約４５度の間）にある、後方の位置にあり得る。
【００２４】
スイッチカバー２０４は、ファルクラム２０６に対して回転可能に接続され得、かつクローズ位置（図１を見よ）とオープン位置との間で移動可能である。スイッチカバー２０４がオープン位置にある場合、トグルスイッチ２０２は、後方（すなわち、「オフ」）位置に移動可能である。
【００２５】
トグルスイッチアセンブリ２００が「オフ」構成にある場合（例えば、スイッチカバー２０４がオープンで、かつトグルスイッチ２０２が後方位置にある）、トグルスイッチのロックアウトクリップ１００は、以下に説明されるようにトグルスイッチアセンブリ２００に設置され得る。トグルスイッチのロックアウトクリップ１００をトグルスイッチアセンブリ２００に設置するための他の技術がまた、熟考されている。
【００２６】
先ず、クリップ本体１０２のレッグ部１０６は、レッグ部１０６の遠位端１３６がトグルスイッチ２０２と随意のストップ２１０との間に位置決めされるように、スイッチボード２０８に配置され得る。トグルスイッチのロックアウトクリップ１００が十分に設置される場合、レッグ部１０６の遠位端１３６は、随意のストップ２１０に隣接する。
【００２７】
次に、トグルスイッチのロックアウトクリップ１００は、トグルスイッチアセンブリ２００のトグルスイッチ２０２及びスイッチカバー２０４に位置合わせされる。具体的に、トグルスイッチのロックアウトクリップ１００は、クリップ本体１０２の係合部１０８（図３及び４）がトグルスイッチ２０２と位置合わせされ、かつ第１及び２の側部１１０、１１２の間のギャップ１４４がスイッチカバー２０４の一部を受け入れるように位置合わせされるように、位置合わせされ得る。
【００２８】
スイッチボード２０８の上にレッグ部１０６があり、かつトグルスイッチのロックアウトクリップ１００が位置合わせされた場合、クリップ本体１０２のラッチ部１０４は、矢印Ｍによって示される方向へ促され得る。ラッチ部１０４が矢印Ｍの方向へ移動する際、スイッチカバー２０４の先端２０５は、スイッチカバー２０４の先端２０５がラッチ部１０４のフック部材１２０と延伸部材１１８との間のフックギャップ１２６の中に位置決めされるまで、ガイドタブ１２８のカミング表面１３２に沿ってカムし得る。
【００２９】
設置のプロセスは、一旦、トグルスイッチのロックアウトクリップ１００のラッチ部１０４が、トグルスイッチアセンブリ２００のスイッチカバー２０４に適正にラッチすると、完了し得る。伸縮性、弾力性がある材料からクリップ本体１０２を形成することは、ラッチ部１０４がスイッチカバー２０４にラッチするプロセスを容易にし得る。
【００３０】
したがって、一旦、トグルスイッチのロックアウトクリップ１００がトグルスイッチアセンブリ２００に設置されると、トグルスイッチのロックアウトクリップ１００は、トグルスイッチ２０２を「オフ」位置に固定し、かつスイッチカバー２０４をオープン位置に固定する。具体的に、一旦、トグルスイッチのロックアウトクリップ１００がトグルスイッチアセンブリ２００に設置されると、トグルスイッチのロックアウトクリップ１００の係合部１０８（図３及び４）は、トグルスイッチアセンブリ２００のトグルスイッチ２０２及びスイッチカバー２０４に向かって突出し得、トグルスイッチ２０２の「オン」位置への移動を抑制し得、かつクローズ位置へのスイッチカバー２０４の移動を抑制し得る、干渉する障害物を生み出す。
【００３１】
トグルスイッチ及びスイッチカバーを含むトグルスイッチアセンブリをロックアウトするための方法がまた、開示される。開示される方法の一実施形態が、図７の中において示され、かつその方法は概して３００と指定される。
【００３２】
方法３００は、トグルスイッチアセンブリの電源をオフにするステップを有するブロック３０２において始まる。例えば、トグルスイッチアセンブリの電源をオフにすることは、（１）スイッチカバーをオープンにすること、及び（２）トグルスイッチを後方「オフ」位置へ移動させることを要求し得る。
【００３３】
ブロック３０４において、トグルスイッチのロックアウトクリップが提供される。トグルスイッチのロックアウトクリップは、ラッチ部、レッグ部、及び係合部を含み得る。随意に、トグルスイッチのロックアウトクリップはまた、スイッチカバーを受け入れるための側部、及びタグをトグルスイッチのロックアウトクリップに接続するための貫通孔を含み得る。
【００３４】
ブロック３０６において、トグルスイッチのロックアウトクリップは、トグルスイッチアセンブリに設置され得る。設置プロセスは、ラッチ部をトグルスイッチアセンブリのスイッチカバーにラッチさせ、トグルスイッチのロックアウトクリップの係合部を、トグルスイッチアセンブリのトグルスイッチ及びスイッチカバーに接近させることを含む。
【００３５】
ブロック３０８において、タグは、トグルスイッチアセンブリに設置されるトグルスイッチのロックアウトクリップに接続され得る。タグは、文章（例えば、「取り除くな」）、色（例えば、赤色）、及び／又はグラフィックスなどの印を含み得、他者にトグルスイッチのロックアウトクリップ１００を取り除かないように忠告する。
【００３６】
したがって、開示されるトグルスイッチのロックアウトクリップ及び方法は、トグルスイッチの不注意な作動を（排除できない場合）抑制し得る。
【００３７】
開示されるトグルスイッチのロックアウトクリップ及び方法の様々な実施形態が示されかつ説明されてきたが、当業者が本明細書を読むことによって変形がなされ得る。本出願は、そのような変形を含み、かつ特許請求の範囲によってのみ限定される。
また、本発明は以下に記載する態様を含む。
（態様１）
中央領域（１１６）を有するクリップ本体（１０２）であって：
前記中央領域（１１６）から突出するラッチ部（１０４）において、前記ラッチ部（１０４）は延伸部材（１１８）、及び前記延伸部材（１１８）に接続されフックギャップ（１２６）を画定するフック部材（１２０）を備える、ラッチ部（１０４）；
前記ラッチ部（１０４）から離れるように前記中央領域（１１６）から突出するレッグ部（１０６）；
第２の側部（１１２）と対向する第１の側部（１１０）において、前記第１の側部（１１０）及び前記第２の側部（１１２）は前記中央領域（１１６）から延伸し、かつそれらの間のギャップ（１４４）を画定する、第１の側部（１１０）；並びに
前記第１の側部（１１０）及び前記第２の側部（１１２）の間に位置決めされる係合部（１０８）を備える、クリップ本体（１０２）を備える、トグルスイッチロックアウトクリップ（１００）。
（態様２）
前記クリップ本体（１０２）は、単一のモノリシックの本体として形成される、態様１に記載のトグルスイッチロックアウトクリップ（１００）。
（態様３）
前記クリップ本体（１０２）は、弾力性のある材料から形成される、態様１に記載のトグルスイッチロックアウトクリップ（１００）。
（態様４）
前記クリップ本体（１０２）は、貫通孔（１１４）を画定する、態様１に記載のトグルスイッチロックアウトクリップ（１００）。
（態様５）
前記貫通孔（１１４）は、前記中央領域（１１６）の近傍に位置決めされる、態様４に記載のトグルスイッチロックアウトクリップ（１００）。
（態様６）
前記貫通孔（１１４）を通って延伸するテザー（１５２）によって前記クリップ本体（１０２）に接続されるタグ（１５０）をさらに備える、態様４に記載のトグルスイッチロックアウトクリップ（１００）。
（態様７）
前記タグ（１５０）は、警告する印が付けられている、態様６に記載のトグルスイッチロックアウトクリップ（１００）。
（態様８）
前記フック部材（１２０）は、約４５度から約１３５度までの範囲内に含まれる角度において、前記延伸部材（１１８）に接続される、態様１に記載のトグルスイッチロックアウトクリップ（１００）。
（態様９）
前記ラッチ部（１０４）はさらに、前記フック部材（１２０）に接続されるガイドタブ（１２８）を備える、態様１に記載のトグルスイッチロックアウトクリップ（１００）。
（態様１０）
前記係合部は係合表面（１４０）を備え、かつノッチ（１４２）が前記係合表面（１４０）に形成される、態様１に記載のトグルスイッチロックアウトクリップ（１００）。
（態様１１）
トグルスイッチアセンブリ（２００）であって：
トグルスイッチ（２０２）；及び
スイッチカバー（２０４）において、前記スイッチカバー（２０４）はオープン位置にあり、かつ前記スイッチカバー（２０４）は前記オープン位置からクローズ位置へ移動可能であり、前記スイッチカバー（２０４）は前記クローズ位置で前記トグルスイッチ（２０２）の上に位置決めされる、スイッチカバー（２０４）を備える、トグルスイッチアセンブリ（２００）と、
中央領域（１１６）を有するクリップ本体（１０２）を備えるトグルスイッチロックアウトクリップ（１００）であって、前記クリップ本体（１０２）は：
前記中央領域（１１６）から突出するラッチ部（１０４）において、前記ラッチ部（１０４）はフックギャップ（１２６）を画定し、前記スイッチカバー（２０４）の少なくとも一部は前記フックギャップ（１２６）の中に受け入れられる、ラッチ部（１０４）；及び
前記ラッチ部（１０４）から離れるように前記中央領域（１１６）から突出するレッグ部（１０６）を備える、トグルスイッチロックアウトクリップ（１００）とを備える、トグルスイッチシステム。
（態様１２）
前記レッグ部（１０６）は突出して、前記トグルスイッチアセンブリ（２００）と係合する、態様１１に記載のトグルスイッチシステム。
（態様１３）
前記トグルスイッチアセンブリ（２００）はさらにストップ（２１０）を備え、かつ前記レッグ部（１０６）は前記トグルスイッチ（２０２）と前記ストップ（２１０）との間で位置決めされる、態様１１に記載のトグルスイッチシステム。
（態様１４）
前記トグルスイッチロックアウトクリップ（１００）はさらに、第２の側部（１１２）と対向する第１の側部（１１０）を備え、前記第１の側部（１１０）及び前記第２の側部（１１２）は、前記中央領域（１１６）から延伸し、かつそれらの間のギャップ（１４４）を画定し、前記スイッチカバー（２０４）の少なくとも一部は前記ギャップ（１４４）の中に受け入れられる、態様１１に記載のトグルスイッチシステム。
（態様１５）
前記トグルスイッチロックアウトクリップ（１００）はさらに、突出して前記トグルスイッチ（２０２）と係合する係合部（１０８）を備える、態様１１に記載のトグルスイッチシステム。
（態様１６）
前記係合部（１０８）は、前記スイッチカバー（２０４）の前記クローズ位置への移動を抑制する、態様１５に記載のトグルスイッチシステム。
（態様１７）
前記トグルスイッチロックアウトクリップ（１００）は、前記スイッチカバー（２０４）の前記クローズ位置への移動を抑制する、態様１１に記載のトグルスイッチシステム。
（態様１８）
前記トグルスイッチロックアウトクリップ（１００）に接続されるタグ（１５０）をさらに備える、態様１１に記載のトグルスイッチシステム。
（態様１９）
前記クリップ本体（１０２）は貫通孔（１１４）を画定し、かつ前記タグ（１５０）は、前記貫通孔（１１４）を通って延伸するテザー（１５２）によって前記トグルスイッチロックアウトクリップ（１００）に接続される、態様１８に記載のトグルスイッチシステム。
（態様２０）
トグルスイッチ（２０２）及びスイッチカバー（２０４）を含むトグルスイッチアセンブリ（２００）をロックアウトするための方法であって、前記トグルスイッチ（２０２）がオン位置とオフ位置との間で移動可能であり、前記スイッチカバー（２０４）がクローズ位置とオープン位置との間で移動可能であり、前記方法は：
前記スイッチカバー（２０４）を前記オープン位置に移動させ、かつ前記トグルスイッチ（２０２）を前記オフ位置に移動させるステップと；
前記トグルスイッチアセンブリ（２００）にクリップ（１００）を設置するステップであって、前記クリップ（１００）が、前記スイッチカバー（２０４）にラッチするラッチ部（１０４）、及び前記ラッチ部（１０４）から離れるように延伸するレッグ部（１０６）を備え、前記クリップ（１００）が、前記スイッチカバー（２０４）の前記クローズ位置への移動、及び前記トグルスイッチ（２０２）の前記オン位置への移動を抑制する、ステップとを含む、方法。
【図１】
0006157626.tif 000002
【図２】
0006157626.tif 000003
【図３】
0006157626.tif 000004
【図４】
0006157626.tif 000005
【図５】
0006157626.tif 000006
【図６】
0006157626.tif 000007
【図７】
0006157626.tif 000008